(57)【特許請求の範囲】
【請求項１】
既設トンネル覆工のコンクリートの補強を行う工程（ａ）と、
前記既設トンネルの側方と前記既設トンネルの上方とを含む第１の部分を掘削する工程（ｂ）と、
前記第１の部分に簡易プロテクタを設置する工程（ｃ）と、
前記簡易プロテクタ内を通行させつつ、前記既設トンネルを取り壊す工程（ｄ）と、
前記第１の部分と、取り壊された前記既設トンネルの部分を含むように新設トンネルを構築する工程（ｅ）と、
を具備することを特徴とするトンネルの拡幅方法。
【請求項２】
前記新設トンネルの外側の一部と前記既設トンネルの内側の一部が一致しており、前記工程（ｄ）は、前記新設トンネルと接する部分以外の前記既設トンネルを取り壊すことを特徴とする請求項１記載のトンネルの拡幅方法。
【請求項３】
前記工程（ｂ）は、新設トンネル上半部として、既設トンネルの側方および既設トンネルの上方を掘削後、壁面に吹付コンクリートを設ける工程と、前記新設トンネル上半部の下方を掘削後、壁面に吹付コンクリートを設け、新設トンネル下半部とする工程と、前記新設トンネル下半部の下部を掘削後、インバートコンクリートを設ける工程とを具備し、
前記既設トンネルの上部にある前記新設トンネル上半部の隅角部の頂部において、支保工の根巻をして支保工を固定することを特徴とする請求項１記載のトンネルの拡幅方法。
【請求項４】
前記簡易プロテクタは、所定の間隔でアーチ状の骨組みを設け、前記アーチ状の骨組みに対し、それらをトンネル軸方向の部材で連結し、周囲を保護材で包むことを特徴とする請求項１、請求項２または請求項３記載のトンネルの拡幅方法。
【請求項５】
請求項１から請求項４のいずれかに記載のトンネルの拡幅方法によって拡幅されたことを特徴とするトンネル。
【発明の詳細な説明】
【０００１】
【発明の属する技術分野】
本発明はトンネルの拡幅方法、トンネルおよび簡易プロテクタに関するものである。
【０００２】
【従来の技術】
昨今、交通量の増大、トンネルの老朽化、車高の高いＩＳＯ規格のコンテナ車の通行を可能にさせるため、あるいは最近の道路構造令に適合させるために既存のトンネルの断面を拡大させる必要が生じている。
既設のトンネルの断面を拡大させる方法としては、既存のトンネルに近接して、より大断面の新設トンネルを掘削し、新設トンネル完成後に新設トンネルに交通を移す方法、または、別に迂回ルートを設定し既存トンネルを完全に通行止めにしてトンネルの断面を拡大する方法、既存トンネルの内空にプロテクタを設置して通過車輌を防護しながら既存トンネルの覆工を取り壊し、トンネルの断面を大きくする方法がとられている。
【０００３】
【発明が解決しようとする課題】
しかしながら、既存トンネルに近接して新設トンネル構築する方法は、地形的、社会的な制約が多く、更に新設トンネルに至るアクセス道路の建設も必要となる。
既存トンネルを完全に通行止めにする方法は、迂回道路がない場合や、大幅な迂回になる場合もあり、渋滞等地域の交通に影響を及ぼすことがある。
既存トンネルの内空にプロテクタを設置する方法は、車輌防護のため堅固なプロテクタとなるので、通過車輌の車線は減少し、交通渋滞等地域の交通に与える影響が大きい。また、堅固なプロテクタのため、作業空間が限定され、通常のトンネルの掘削で使用される汎用機械が使えず、能率の低い機械を使用することになるので、工期が長期化し、地域の交通への影響も長期化する。
【０００４】
本発明はこのような問題を鑑みてなされたものでその目的とするところは、既存トンネルの通常の通行を確保したまま、容易にトンネル断面を拡大できるトンネルの拡幅方法等を提供することにある。
【０００５】
【課題を解決するための手段】
前述した問題を解決するための第１の発明は、既設トンネル覆工のコンクリートの補強を行う工程（ａ）と、前記既設トンネルの側方と前記既設トンネルの上方とを含む第１の部分を掘削する工程（ｂ）と、前記第１の部分に簡易プロテクタを設置する工程（ｃ）と、前記簡易プロテクタ内を通行させつつ、前記既設トンネルを取り壊す工程（ｄ）と、前記第１の部分と、取り壊された前記既設トンネルの部分を含むように新設トンネルを構築する工程（ｅ）と、を具備することを特徴とするトンネルの拡幅方法である。
【０００７】
第２の発明は、第１の発明によるトンネルの拡幅方法によって拡幅されたことを特徴とするトンネルである。
【０００８】
【発明の実施の形態】
以下、図面に基づいて本発明の実施の形態を詳細に説明する。図１から図７は、トンネルの拡幅方法の施工手順を示す断面図であり、図２は、図１の斜視図であり、図５は、簡易プロテクタ２１の斜視図である。
図１、図２に示されるように、地山３中に既設トンネル３１が既に構築されている。既設トンネル３１を拡幅する場合、一般車輌のプロテクタとして既設トンネル覆工３３を使用するため、予め既設トンネル覆工３３のコンクリートの補強を必要箇所について行う。
【０００９】
補強方法としては、主に既設トンネル覆工３３の天端部へ裏込め注入を行ったり、グラスファイバーロックボルトを設置したり、既設トンネル覆工３３内側へ支保工を建て込んだり、根固めコンクリート等で根固めしたりする方法がある。既設トンネル覆工３３のコンクリートのクラックの程度、既設トンネル覆工３３裏側の空洞の程度、地山３の強度等により、これらの補強方法のうち、いくつかを選択する。
【００１０】
既設トンネル覆工３３の補強の後、既設トンネル３１内は、これまでどおり交通を確保したまま、新設トンネル１の上半部分に相当する新設トンネル上半部１３の掘削を行う。掘削機（図示せず）は既設トンネル覆工３３には載せず、新設トンネル上半部１３の上半盤１４に載せる。既設トンネル覆工３３自体をプロテクタとしているため、既設トンネル覆工３３に、荷重をかけないようにするためである。
【００１１】
この場合、既設トンネル３３の断面位置を新設トンネル１の断面の片側に寄せて計画しているため、比較的大きな空間を掘削することになり、ロードヘッダ、ツインヘッダ、ブレーカ等の汎用の掘削機械あるいはこのような掘削機械を改造した機械を使用できる。
【００１２】
また、既設トンネル覆工３３の上部にあたる新設トンネル上半部１３の隅角部１５（ａ−ｂ間）の外側の地山３は、掘削せず残す。
新設トンネル上半部１３の掘削が終了後、壁面（ａ−ｃ間）に、吹付コンクリート７ａを打設し、支保工（図示せず）を設置したり、ロックボルト（図示せず）等を打設したりして、必要な支保を行う。
【００１３】
隅角部１５は、新設トンネル上半部１３のアーチ部の構造的弱点と考えられる部分である。そのため、隅角部１５（ａ−ｂ間）にも吹付コンクリート７ｂを打設する。更にａ点において、支保工の根巻をして、支保工を固定する。これにより、支保工にかかる力を確実に地山３に伝えることが出来るため、安全性が高まる。
【００１４】
次に、図３に示すように、既設トンネル３１内の交通を確保したまま、新設トンネル上半部１３の下方の新設トンネル下半部１７の掘削を行う。この新設トンネル下半部１７の掘削も、前述したような掘削機械あるいは汎用機械を改造した機械を使用する。
新設トンネル下半部１７の掘削の後、新設トンネル下半部１７に吹付コンクリート７ｃを設け、支保工（図示せず）を設置したり、ロックボルト（図示せず）等で支保を行う。
【００１５】
次に、図４に示すように、既設トンネル３１内の交通を確保したまま、インバート部１０ａの掘削を行う。インバート部１０ａの掘削も、新設トンネル上半部１３の掘削と同様に、汎用の掘削機械あるいは汎用機械を改造した機械を使用する。
インバート部１０ａの掘削の後、インバートコンクリート１１ａを施工する。次に、新設トンネル路盤９ａまで構造物を構築し、新設トンネル路盤９ａ面に舗装を行う。尚、新設トンネル路盤９ａは、既設トンネル路盤３５と高さが一致している。
尚、請求項１および請求項５に示す第１の部分は、図３に示す新設トンネル上半部１３、新設トンネル下半部１７、及び図４に示すインバート部１０ａの部分である。
【００１６】
このようにして、既設トンネル３１の全線にわたって、新設トンネル上半部１３、新設トンネル下半部１７を繰り返し掘削し、吹付コンクリート７ａ、吹付コンクリート７ｃ、インバートコンクリート１１ａ等を設ける。
次に、全線にわたって、新設トンネル路盤９ａ上に簡易プロテクタ２１と柵型プロテクタ２２を設け、既存トンネル３１内の交通を簡易プロテクタ２１内に切り替える。
【００１７】
簡易プロテクタ２１は、新設トンネル１内において吹付コンクリート７の肌落ちから、簡易プロテクタ２１内の交通を守り、安全な交通を確保するためのものである。また、柵型プロテクタ２２は、既設トンネル覆工３３を取り壊す際に飛散する破片から、簡易プロテクタ２１を護るものである。
尚、図４の工程において、新設トンネル１内が吹付コンクリート７の状態で一般車の通行が許可された場合は、図４、図５、図６におけるプロテクタ２１は不要となる。但し、図６の工程における柵型プロテクタ２２は必要である。
【００１８】
簡易プロテクタ２１の構造について説明する。図５は、簡易プロテクタ２１の斜視図である。
図５に示すように、簡易プロテクタ２１は、骨組みである軽量のアーチ型部材２５（例えばＬ型鋼を使用）がトンネル軸方向部材２６によって連結されている。外側には保護材である防水シート２９が全面に設けられる。尚、保護材は、ラス網、ネットなどとすることも可能である。
更に、既設トンネル覆工３３と簡易プロテクタ２１の間に、既設トンネル覆工３３を取り壊す際の破片の飛散から簡易プロテクタ２１を護ることを目的とした防護柵である柵型プロテクタ２２を設ける。この柵型プロテクタ２２は、Ｈ鋼を一定間隔で、新設トンネル路盤９ａに一部埋設して立て、その間に矢板を嵌め込んだものである。
【００１９】
簡易プロテクタ２１は、長さが１０ｍ程度にブロック化されており、各ブロックを現場で接続したり、分離したりすることができる。
この簡易プロテクタ２１は、厚い鉄板と鉄骨を組み合わせ、上部に施工機械を載せてトンネルの拡幅を行う従来式の堅固なプロテクタに比較して、極めて簡易な構造であり、各ブロックを切り離せば、移動も容易である。
【００２０】
前述のように、既設トンネル３１から新設トンネル１内の簡易プロテクタ２１内に交通を切り替えた後、図６に示すように、簡易プロテクタ２１内に車輌を通過させながら、既設トンネル覆工３３を取り壊すと共に、新設トンネル上半部１３の掘削時に、掘り残した隅角部１５の外側の地山３の掘削も行い、吹付コンクリート７ｄを設ける。この際、新設トンネル覆工５と接する部分の既設トンネル覆工３３ｂは、取り壊さず残す。次に、新設トンネル下半部１７の既設トンネル３１との重複部分の支保工（図示せず）を設置し、新設トンネル上半部１３の支保工と接続する。
【００２１】
次に、既設トンネル３１の下方のインバート部１０ｂの掘削を行う。この際、既設トンネル覆工３３の底盤部を取り壊す。インバート部１０ｂを掘削後、インバートコンクリート１１ａと対称となるようにインバートコンクリート１１ｂを施工し、新設トンネル路盤９ｂ面まで構造物を構築して、新設トンネル路盤９ｂ面の舗装を行う。
【００２２】
このようにして、インバート部１０ａ、インバート部１０ｂからなるインバート１０部が構築される。
そして、新設トンネル１の全線のわたって、既設トンネル３１を取り壊し、新設トンネル１と既設トンネル３１との重複部分の構築を繰り返す。
【００２３】
図７に示すように、まず柵型プロテクタ２２を撤去した後、簡易プロテクタ２１内を一時通行止めにして、簡易プロテクタ２１を新設トンネル１の中央部に移動させる。簡易プロテクタ２１の移動は、簡易プロテクタ２１を１０m程度のブロックに分離し、ジャンボ等のトンネル機械により、牽引して行う。
【００２４】
次に、新設トンネル１の中央部に移動させた簡易プロテクタ２１内に車輌を通過させながら、新設トンネル１の全線にわたり新設トンネル覆工５のコンクリートを打設する。尚、既設トンネル覆工３３ｂの部分では、既設トンネル覆工３３ｂの内側に新設トンネル覆工５のコンクリートが打設される。
【００２５】
新設トンネル覆工５が構築されると、簡易プロテクタ２１内の交通を一次通行止めにし、簡易プロテクタ２１を撤去する。この後、防護柵等により、新設トンネル１内の交通を中央部によせ、歩道、照明、諸設備等の整備を行い、新設トンネル１が完成する。
【００２６】
図８は、既設トンネルと新設トンネルの位置関係を示す断面図である。
図８に示すように、既設トンネル３１を拡幅する場合、新設トンネル１と既設トンネル３１との位置関係は、両者の路盤である新設トンネル路盤９と既設トンネル路盤３５との高さが一致し、図８における新設トンネル１のｄ部で、新設トンネル覆工５の外側と既設トンネル覆工３３の内側が一致している。
【００２７】
尚、新設トンネル１の内空幅は、既設トンネル３１の内空幅の概ね２倍ないしはそれ以上あることが好ましい。
【００２８】
以上のように、トンネル内の交通を確保したまま、既設トンネル３１を拡幅し、新設トンネル１を構築する。この際、簡易プロテクタ２１を用いることにより、従来の堅固なプロテクタと比較して、プロテクタにかかる費用を低減できる。また、既設トンネル３１の断面位置を新設トンネル１の片側に寄せることにより、新設トンネル１の拡大部分の掘削断面が大きくなり、汎用の機械もしくは、汎用の機械を改造した機械の使用が可能となり、掘削効率の向上に役立つ。
【００２９】
【発明の効果】
以上、詳細に説明したように本発明によれば、既存トンネルの通常の通行を確保したまま、容易にトンネル断面を拡大できるトンネルの拡幅方法等を提供することができる。
【図面の簡単な説明】
【図１】  トンネルの拡幅方法の施工手順を示す断面図
【図２】  図１の斜視図
【図３】  トンネルの拡幅方法の施工手順を示す断面図
【図４】  トンネルの拡幅方法の施工手順を示す断面図
【図５】  簡易プロテクタ２１の斜視図
【図６】  トンネルの拡幅方法の施工手順を示す断面図
【図７】  トンネルの拡幅方法の施工手順を示す断面図
【図８】  新設トンネル１と既設トンネル３１の位置関係を示す断面図
【符号の説明】
１…新設トンネル
３…地山
５…新設トンネル覆工
７…吹付コンクリート
１１…インバートコンクリート
１５…隅角部
２１…簡易プロテクタ
３１…既設トンネル
３３…既設トンネル覆工
【図１】
0003796524.tif 000002
【図２】
0003796524.tif 000003
【図３】
0003796524.tif 000004
【図４】
0003796524.tif 000005
【図５】
0003796524.tif 000006
【図６】
0003796524.tif 000007
【図７】
0003796524.tif 000008
【図８】
0003796524.tif 000009